(57)【要約】【課題】予め施された文字や図形等の描画が黒板表面から透けて見える状態で、特に白墨によって黒板表面に文字や図形等を良好に書き消しできると共に、製造効率のよい黒板の提供を課題とする。【解決手段】基板２０と、該基板２０上に積層してある黒板面構成体１０とからなる黒板１であって、前記黒板面構成体１０は、少なくとも表表面１１ａを粗面化手段を用いて粗表面とする表面シート１１を備え、且つ該表面シート１１から透けて見える文字や図形等の描画が施されている。描画は、表面シート１１の裏表面１１ｂに張り合わせてある内部シート１２の一部又は全部に施している。【選択図】      図２
0003145831.tif 000002
【実用新案登録請求の範囲】
【請求項１】
基板と、該基板上に積層してある黒板面構成体とからなる黒板であって、前記黒板面構成体は、少なくとも表表面を粗面化手段を用いて粗表面とする表面シートを備え、且つ該表面シートから透けて見える文字や図形等の描画が施されていることを特徴とする黒板。
【請求項２】
描画は、表面シートの裏表面に張り合わせてある内部シートの一部又は全部に施していることを特徴とする請求項１に記載の黒板。
【請求項３】
描画は、表面シートの裏表面の一部又は全部に施していることを特徴とする請求項１に記載の黒板。
【請求項４】
描画は、地図であることを特徴とする請求項１〜３の何れか１項に記載の黒板。
【請求項５】
基板は、磁性ゴムシートであることを特徴とする請求項１〜４の何れか１項に記載の黒板。
【請求項６】
磁性ゴムシートと、該磁性ゴムシート上に積層してある黒板面構成体とからなる黒板であって、前記黒板面構成体は、表表面に地図を含む描画を施している内部シートと、表表面を粗面化手段を用いて粗表面とし且つ前記内部シート上に積層される透明又は半透明の表面シートとから構成されていることを特徴とする黒板。
【考案の詳細な説明】
【技術分野】
【０００１】
本考案は教室、事務所等で使用する黒板に関し、特に大型黒板の補助用として、予め施された文字や図形等の描画が黒板表面から透けて見えた状態で白墨等によって書き消しできる黒板に関する。
【背景技術】
【０００２】
予め施された文字や図形等が表面から透けて見えた状態で書き消しできるものとしては、下記特許文献１がある。
下記特許文献１は、基礎情報記録済みのホワイトボートおよびその補助表示板に関し、インクジェットで印字した基礎画像シートの上にマーキング用ペンで書き消し可能な透明合成樹脂フィルム層を形成することにより、少量、多品種の製品でも採算性よく製造できるホワイトボードが開示されている。
【特許文献１】実用新案登録第３１２４５５７号公報
【考案の開示】
【考案が解決しようとする課題】
【０００３】
ところが上記した特許文献１に記載の表示板は、あくまでホワイトボードであり、筆記具はマーキング用ペンとするものである。よってベースが白色であるため、使用時及び使用後に目が疲れ易く、筆記具も安価でないという問題があった。
また従来、予め施された文字や図形等の描画が表面から透けて見える状態で書き消しできる黒板もあった。しかし、予め施された文字や図形等の描画は、手作業により黒板本体にペンキを塗ったり、カット文字を張ったりして構成されるものであった。よって作業効率が悪いという問題があった。また描画によって黒板表面に凹凸ができ、白墨による筆記が良好に行えないと共に、文字や図形等の描画が剥がれ易いという問題があった。
【０００４】
そこで本考案は上記従来の欠点を解消し、予め施された文字や図形等の描画が黒板表面から透けて見える状態で、特に白墨によって黒板表面に文字や図形等を良好に書き消しできると共に、製造効率のよい黒板の提供を課題とする。
【課題を解決するための手段】
【０００５】
上記課題を達成するため本考案の黒板は、基板と、該基板上に積層してある黒板面構成体とからなる黒板であって、前記黒板面構成体は、少なくとも表表面を粗面化手段を用いて粗表面とする表面シートを備え、且つ該表面シートから透けて見える文字や図形等の描画が施されていることを第１の特徴としている。
また本考案の黒板は、上記第１の特徴に加えて、描画は、表面シートの裏表面に張り合わせてある内部シートの一部又は全部に施していることを第２の特徴としている。
また本考案の黒板は、上記第１の特徴に加えて、描画は、表面シートの裏表面の一部又は全部に施していることを第３の特徴としている。
また本考案の黒板は、上記第１〜第３の何れか１項に記載の特徴に加えて、描画は、地図であることを第４の特徴としている。
また本考案の黒板は、上記第１〜第４の何れか１項に記載の特徴に加えて、基板は、磁性ゴムシートであることを第５の特徴としている。
また本考案の黒板は、磁性ゴムシートと、該磁性ゴムシート上に積層してある黒板面構成体とからなる黒板であって、前記黒板面構成体は、表表面に地図を含む描画を施している内部シートと、表表面を粗面化手段を用いて粗表面とし且つ前記内部シート上に積層される透明又は半透明の表面シートとから構成されていることを第６の特徴としている。
【考案の効果】
【０００６】
請求項１に記載の黒板によれば、基板と、該基板上に積層してある黒板面構成体とからなる黒板であって、前記黒板面構成体は、少なくとも表表面を粗面化手段を用いて粗表面とする表面シートを備え、且つ該表面シートから透けて見える文字や図形等の描画が施されているので、
基板上に黒板面構成体を積層することで、基板を下敷きとして白墨等で良好に文字や図形等を書き消しすることができる。特に黒板面構成体を構成する表面シートの表表面を粗面化手段を用いて粗表面とすることで、表面シートの表表面に凹凸を形成することができ、白墨による文字や図形等の書き消しを良好に行うことができる。また黒板面構成体に表面シートから透けて見える文字や図形等の描画を施すことで、用途に応じた使用ができる黒板とすることができる。
【０００７】
また請求項２に記載の黒板によれば、上記請求項１に記載の構成による効果に加えて、描画は、表面シートの裏表面に張り合わせてある内部シートの一部又は全部に施しているので、
描画を施した内部シートを表面シートの裏表面に張り合わせるだけで黒板面構成体を形成することができ、製造効率のよい黒板とすることができる。また描画を内部シートの一部又は全部に施すことで、一段と用途に応じた使用ができる黒板とすることができる。
【０００８】
また請求項３に記載の黒板によれば、上記請求項１に記載の構成による効果に加えて、描画は、表面シートの裏表面の一部又は全部に施しているので、
描画を表面シートの裏表面に施すことで、黒板面構成体を軽量且つ厚みを薄肉なものとすることができる。よって持ち運びに便利で、製造コストを抑えた黒板とすることができる。また描画を表面シートの裏表面の一部又は全部に施すことで、一段と用途に応じた使用ができる黒板とすることができる。
【０００９】
また請求項４に記載の黒板によれば、上記請求項１〜３の何れか１項に記載の構成による効果に加えて、描画は、地図であるので、
表面シートから地図が透けて見えることにより、地図黒板として地理の学習や会議等に有効に活用することができる。
【００１０】
また請求項５に記載の黒板によれば、上記請求項１〜４の何れか１項に記載の構成による効果に加えて、基板は、磁性ゴムシートである構成としてあるので、
磁性を有するものに付着させるだけで黒板として使用することができる。よって設置が容易な黒板とすることができる。
【００１１】
また請求項６に記載の黒板によれば、磁性ゴムシートと、該磁性ゴムシート上に積層してある黒板面構成体とからなる黒板であって、前記黒板面構成体は、表表面に地図を含む描画を施している内部シートと、表表面を粗面化手段を用いて粗表面とし且つ前記内部シート上に積層される透明又は半透明の表面シートとから構成されているので、
磁性ゴムシート上に黒板面構成体を積層して黒板を構成することで、磁性を有するものに付着させるだけで黒板として使用することができる。よって設置が容易な黒板とすることができる。また表表面に地図を含む描画を施している内部シートの上に透明又は半透明の表面シートを積層することで、表面シートから地図を含む描画が透けて見えた状態で書き消しできる黒板とすることができる。よって地図黒板として、地理の学習や会議等に有効に活用できる黒板とすることができる。また表面シートの表表面を粗面化手段を用いて粗表面とすることで、表面シートの表表面に凹凸が形成されるので、特に白墨による文字や図形等の書き消しを良好に行うことができる。
【考案を実施するための最良の形態】
【００１２】
以下の図面を参照して、本考案の実施形態に係る黒板を説明する。しかしながら以下の説明は本考案の具体例であって、実用新案登録請求の範囲に記載の内容を減縮するものではない。
図１は本考案の実施形態に係る黒板の正面図である。図２は図１の断面図である。図３は本考案の実施形態に係る内部シートの表面の正面図である。図４は黒板面構成体の変形例を示す断面図である。図５は黒板面構成体の変形例における表面シートの裏面の正面図である。
【００１３】
先ず図１〜図３を参照して、本実施形態の黒板１を説明する。
黒板１は、図１に示すように、予め施された文字や図形等の描画が黒板表面から透けて見える状態で、白墨によって書き消しできる黒板である。
この黒板１は、図２に示すように、黒板面構成体１０と基板２０とから構成される。
【００１４】
前記黒板面構成体１０は、図２に示すように、基板２０上に積層され、黒板１の表面を構成するものであり、表面シート１１と、内部シート１２とから構成される。
【００１５】
前記表面シート１１は、黒板１における筆記面を構成すると共に、内部シート１２の表表面を保護するためのものである。この表面シート１１は、透明のプラスチックシートからなり、その表表面１１ａを粗面化手段により粗表面としたマット状フィルムである。ここで、「マット状フィルム」とは、表面が粗くなってザラザラした状態のフィルムを言う。このような構成とすることで、図２に示すように、表表面１１ａに凹凸を形成することができる。よって白墨がこの凹凸に擦り取られることで、白墨による文字や図形等の筆記を良好に行うことができる。粗面化手段としては、研磨ローラ等、プラスチックシートの表表面をマット状とすることができるものであれば如何なるものであってもよい。
また表面粗さは、６μｍ〜１６μｍ程度とすることが望ましい。
なお、本考案では黒板への書き消しに白墨を用いているが、これに限定されるものではない。表面に凹凸が形成されていると特に白墨での筆記に有効だが、ボードマーカー等の他の筆記用具を用いることもできる。
【００１６】
プラスチックシートとしては、塩化ビニールやポリエステル、ポリプロピレンからなる合成樹脂製シートとすることができる。例えばＵＶカット性を有する透明の塩化ビニールシートとすることができる。このような構成とすることで、屋外でも良好に使用できる黒板１とすることができる。また黒板表面の光沢を良好に出すことができる。更に黒板表面を洗うことができると共に、洗剤や溶剤に強い黒板１とすることができる。よってメンテナンスが容易で、耐水性を有する黒板１とすることができる。
【００１７】
またこの表面シート１１は、詳しくは図示していないが、厚みを除き内部シート１２と同一大きさであり、図２に示すように、その裏表面１１ｂを内部シート１２の表表面１２ａと張り合わせてある。このような構成とすることで、表面シート１１で表表面１２ａを覆うことができる。よって表表面１２ａを保護することができる。また表面シート１１は透明であることから、下記で説明する表表面１２ａに施された文字や図形等の描画を表面シート１１から透けて見えるものとすることができる。
【００１８】
なお表面シート１１の厚さは、７５μｍ〜８５μｍ程度とすることが望ましい。
また表面シート１１は、本実施例においては透明としたが、必ずしも透明である必要はなく、半透明や着色されたものであってもよい。しかし、少なくとも内部シート１２に施された文字や図形等の描画が表面シート１１から透けて見えるものであることが必要である。
【００１９】
前記内部シート１２は、黒板１（表面シート１１）の表面から透けて見ることができる文字や図形等の描画を施すためのシートである。この内部シート１２は、詳しくは図示していないが、文字や図形等の描画が印刷された紙からなる。より具体的には、図３に示すように、内部シート１２の表表面１２ａに地図１２ｃ、文字１２ｄ、線１２ｅ、記号１２ｆ、背景色１２ｇをインクジェットプリンタやデジタルプリンタ等の印刷機により印刷してある。このような構成とすることで、カラー印刷等の印刷を容易に行うことができると共に、印刷内容の変更修正を容易に行うことができる。よって製造時間の短縮化を図ることができ、製造効率のよい黒板１とすることができる。またインクを用いて印刷することで、表表面１２ａを平面とすることができる。よって従来のように黒板表面に手作業で文字や図形等を張り付けていた際に生じていた、描画による凹凸や剥がれを確実に防止することができる。
【００２０】
またこの内部シート１２は、詳しくは図示していないが、厚みを除き表面シート１１及び基板２０と同一大きさであり、図２に示すように、内部シート１２の表表面１２ａと表面シート１１の裏表面１１ｂとを張り合わせると共に、内部シート１２の裏表面１２ｂと基板２０の表表面２０ａとを張り合わせている。このような構成とすることで、表表面１２ａを表面シート１１で覆うことができ、表表面１２ａを保護することができる。即ち、地図１２ｃ、文字１２ｄ、線１２ｅ、記号１２ｆ、背景色１２ｇが印刷された内部シート１２の表表面１２ａに白墨や指等が接触することがない。よって表表面１２ａの印字状態を良好に保持することができる。また表面シート１１は透明であることから、地図１２ｃ、文字１２ｄ、線１２ｅ、記号１２ｆ、背景色１２ｇを黒板１の表面から良好に視認することができる。また基板２０を下敷きとして、白墨により黒板１（表面シート１１）に文字や図形等の書き消しを良好に行うことができる。
【００２１】
表面シート１１と内部シート１２との張り合わせは、溶剤系アクリル樹脂を用いて行う。高い透明性を特徴とするアクリル樹脂を用いることで、表面シート１１と内部シート１２とを張り合わせた状態で、内部シート１２の表表面１２ａに施された文字や図形等の描画を黒板１の表面から良好に視認することができる。また表面シート１１の裏表面１１ｂと内部シート１２の表表面１２ａとを樹脂により密着させることにより、内部シート１２の表表面１２ａへの水や埃の付着を確実に防止することができ、一層確実に表表面１２ａを保護することができる。また内部シート１２の表表面１２ａに印刷されたインクの劣化を防止することができ、耐久性のある黒板１とすることができる。
【００２２】
内部シート１２の厚みは、１１０μ〜２４０μ程度とすることが望ましい。
また内部シート１２に用いる紙としては、合成紙、コート紙等、その表面に印刷機により印字可能なものであれば如何なるものであってもよい。
なお本実施例においては内部シート１２を紙としたが、必ずしもこれに限るものではなく、プラスチックシート等、その表面に印刷機により印字可能なものであれば如何なるものであってもよい。
【００２３】
また地図１２ｃ、文字１２ｄ、線１２ｅ、記号１２ｆの大きさや背景色１２ｇの色、濃淡等は本実施例のものに限る必要はなく、用途に合わせて適宜変更可能である。しかし、黒板としての使用状況を考慮すれば、背景色１２ｇは緑色であることが望ましい。緑色とすることで、使用時及び使用後における目の疲れを効果的に防止することができる黒板１とすることができる。
【００２４】
また内部シート１２を透明性を有するプラスチックシートとする場合には、地図１２ｃ、文字１２ｄ、線１２ｅ、記号１２ｆ、背景色１２ｇは必ずしも表表面１２ａに印刷する必要はなく、裏表面１２ｂに印刷するような構成であってもよい。
また本実施例においては、内部シート１２の表表面１２ａの略全部に地図１２ｃ、文字１２ｄ、線１２ｅ、記号１２ｆ、背景色１２ｇを施す構成としたが、必ずしもこのようなものに限る必要はなく、表表面１２ａの一部に施すものであってもよい。また内部シート１２に施す描画も、地図１２ｃ、文字１２ｄ、線１２ｅ、記号１２ｆ、背景色１２ｇに限る必要はなく、他の描画であってもよい。
【００２５】
前記基板２０は、黒板１の基板となると共に、その上に黒板面構成体１０を積層するためのものである。この基板２０はマグネットシートで構成されている。より具体的には、適度な強度と巻回できる程度の柔軟性のある磁性ゴムシートで構成され、図２に示すように、基板２０の表表面２０ａを内部シート１２の裏表面１２ｂと張り合わせている。このような構成とすることで、磁性ゴムシート上に黒板面構成体１０を積層してある黒板１とすることができる。よって磁性ゴムシートを下敷きとして、黒板面構成体１０（表面シート１１）上において、白墨により文字や図形等の書き消しを良好に行うことができると共に、持ち運びに便利な黒板１とすることができる。またマグネットシートとすることで、磁性を有するものに付着させるだけで黒板として使用することができる。よって設置が容易な黒板１とすることができる。また黒板表面にマグネットを貼り付けることができる。よってマグネットで黒板表面に紙等を貼り付けて掲示することができる。
【００２６】
基板２０の厚みは、０．２ｍｍ〜０．８ｍｍ程度とすることが望ましい。
また基板２０と内部シート１２との張り合わせは、一定の強度をもって基板２０と内部シート１２とを張り合わせることができるものであれば如何なるものであってもよい。
【００２７】
マグネットシートとしては、適度な強度と巻回できる程度の柔軟性のあるマグネットシートであれば如何なる材質のものであってもよい。
なお本実施例においては、基板２０をマグネットシートとしたが、必ずしもこれに限るものではない。例えばスチールボードや発泡材とすることができる。スチールボードとすることで、黒板表面にマグネットを貼り付けることができると共に、軽量且つ丈夫な基板２０とすることができる。また発泡材とすることで、軽量且つ加工が容易で、コストを抑えた基板２０とすることができる。
【００２８】
次に図４、図５を参照し、黒板面構成体の変形例を説明する。
図４を参照して、この黒板面構成体３０は、内部シートを用いることなく、表面シート１１のみで構成している。その他の点は、既述した黒板面構成体１０と同一である。同一部材、同一機能を果たすものには同一番号を付し、以下の説明を省略する。
【００２９】
この変形例においては、表面シート１１の裏表面１１ｂに地図１１ｃ、文字１１ｄ、線１１ｅ、記号１１ｆ、背景色１１ｇを印刷すると共に、裏表面１１ｂと基板２０の表表面２０ａとを張り合わせている。
このように黒板面構成体３０を表面シート１１のみで構成することで、黒板面構成体３０を軽量且つ厚みを薄肉なものとすることができる。よって持ち運びに便利で、製造コストを抑えた黒板１とすることができる。
【００３０】
なお図５に示すように、地図１１ｃ、文字１１ｄ、線１１ｅ、記号１１ｆは、既述した図３に示す内部シート１２の表表面１２ａに地図１２ｃ、文字１２ｄ、線１２ｅ、記号１２ｆを印刷する場合と比べて、全てを左右反転させて印刷してある。このような構成とすることで、黒板１表面から見た場合に、正常な地図１１ｃ、文字１１ｄ、線１１ｅ、記号１１ｆとすることができる。
なお本実施例においては、表面シート１１の裏表面１１ｂの略全部に地図１１ｃ、文字１１ｄ、線１１ｅ、記号１１ｆ、背景色１１ｇを施す構成としたが、必ずしもこのようなものに限る必要はなく、裏表面１１ｂの一部に施すものであってもよい。また表面シート１１に施す描画も地図１１ｃ、文字１１ｄ、線１１ｅ、記号１１ｆ、背景色１１ｇに限る必要はなく、他の描画であってもよい。例えば表やグラフとすることができる。表やグラフとすることで、各種工程表や予定表として黒板１を利用することができる。
【産業上の利用可能性】
【００３１】
本考案の黒板は、教室、事務所等で使用する黒板、特に大型黒板の補助用として利用することができる。
【図面の簡単な説明】
【００３２】
【図１】本考案の実施形態に係る黒板の正面図である。
【図２】図１の断面図である。
【図３】本考案の実施形態に係る内部シートの表面の正面図である。
【図４】黒板面構成体の変形例を示す断面図である。
【図５】黒板面構成体の変形例における表面シートの裏面の正面図である。
【符号の説明】
【００３３】
１              黒板
１０            黒板面構成体
１１            表面シート
１１ａ          表表面
１１ｂ          裏表面
１１ｃ          地図
１１ｄ          文字
１１ｅ          線
１１ｆ          記号
１１ｇ          背景色
１２            内部シート
１２ａ          表表面
１２ｂ          裏表面
１２ｃ          地図
１２ｄ          文字
１２ｅ          線
１２ｆ          記号
１２ｇ          背景色
２０            基板
２０ａ          表表面
３０            黒板面構成体
【図１】
0003145831.tif 000003
【図２】
0003145831.tif 000004
【図３】
0003145831.tif 000005
【図４】
0003145831.tif 000006
【図５】
0003145831.tif 000007